(57)【要約】【課題】コネクタ本体は、コネクタソケットの短手方向及びコネクタプラグの挿抜方向には移動できるが、コネクタソケットの長手方向の動きには対処できない。【解決手段】可動側コネクタ部１１の移動方向は、直交する二方向と相手コネクタに対する挿抜方向であり、固定側コネクタ部１０は固定側端子１９−１、１９−２を有していて、固定側端子１９−１、１９−２は、可動側コネクタ部１１の挿抜方向への変位に対して撓む接触部１９ａを有しており、可動側コネクタ部１１は可動側端子２６−１、２６−２を有していて、可動側端子２６−１、２６−２は、直交する二方向に沿う平面で構成された摺接部２６ｃ−１、２６ｃ−２を有しており、可動側コネクタ部１１の移動時に、摺接部２６ｃ−１、２６ｃ−２が接触部１９ａに対して摺接するようにした。【選択図】  図２
2005005096.tif 000002
【特許請求の範囲】
【請求項１】
固定側コネクタ部と、この固定側コネクタ部に導通可能に且つ移動可能に設けられ、且つ相手コネクタに挿抜可能に結合される可動側コネクタ部とを備えた電気コネクタであって、
前記可動側コネクタ部の移動方向は、直交する二方向であり、
前記固定側コネクタ部は固定側端子を有していて、この固定側端子は、前記可動側コネクタ部の前記挿抜方向への変位に対して撓む接触部を有しており、
前記可動側コネクタ部は可動側端子を有していて、この可動側端子は、前記直交する二方向に沿う平面で構成された摺接部を有しており、
前記可動側コネクタ部の移動時に、前記摺接部が前記接触部に対して摺接することを特徴とする電気コネクタ。
【請求項２】
前記可動側端子は、少なくとも、その配列方向に対して交差する一方向に前記摺接部を沿わせたものと、逆方向に沿わせたものとの二種類があり、
前記可動側コネクタ部は、可動側ハウジングに二種類の前記可動側端子を、交互に所定のピッチで配列して前記摺接部を交互に逆向きに配置した構成であり、
前記固定側コネクタ部は、固定側ハウジングに多数本の前記固定側端子を、前記可動側端子の配列ピッチと同ピッチで配列した構成であることを特徴とする請求項１に記載の電気コネクタ。
【請求項３】
前記固定ハウジングに、その可動コネクタ部対向面側に切込み部を有する端子装着用溝部を形成し、
前記固定側端子は、圧入部と、この圧入部の自由端側に形成された前記接触部とを有しており、
前記固定側端子は、前記圧入部を弾性変形させた状態で前記端子装着用溝部に挿入されて、前記接触部を前記切込み部から外方に突出させるようにしたことを特徴とする請求項２に記載の電気コネクタ。
【請求項４】
固定側コネクタ部と、この固定側コネクタ部に導通可能に且つ移動可能に設けられ、且つ相手コネクタに挿抜可能に結合される可動側コネクタ部とを備えた電気コネクタであって、
前記可動側コネクタ部の移動方向は、直交する二方向であり、
前記可動側コネクタ部は可動側端子を有していて、この可動側端子は、前記固定側コネクタ部の前記挿抜方向への変位に対して撓む接触部を有しており、
前記固定側コネクタ部は固定側端子を有していて、この固定側端子は、前記直交する二方向に沿う平面で構成された摺接部を有しており、
前記可動側コネクタ部の移動時に、前記摺接部が前記接触部に対して摺接することを特徴とする電気コネクタ。
【発明の詳細な説明】
【０００１】
【発明の属する技術分野】
本発明は、プリント基板間を接続する電気コネクタに係り、特に、直交する二方向に動き得るフローティング機構を有する電気コネクタに関するものである。
【０００２】
【従来の技術】
従来、フローティング機構を有する電気コネクタとしては、図１７及び図１８に示すように、コネクタソケット５０に結合されるコネクタプラグ５１において、コネクタソケット５０のソケット部５２に挿入されるプラグ挿入部５３と、接続端子５４を固定する端子固定部５５とを、第１、第２の連結用薄板５６、５７で連結して、接続端子５４のコンタクト部５４ｂをプラグ挿入部５３に取付けるようにしたものがある。
【０００３】
そして、コネクタプラグ５１は、水平状態のプリント基板５９に固定され、接続端子５４のリード部５４ａがプリント基板５９の裏面のパターン（図示せず）に半田付けされ、コンタクト部５４ｂとリード部５４ａは、緩衝導体部５４ｃで連結している。また、コネクタソケット５０は、垂直状態のプリント基板６０に固定され、接続端子６１のリード部６１ａがプリント基板６０の裏面のパターン（図示せず）に半田付けされる。
【０００４】
そして、コネクタプラグ５１をコネクタソケット５０に挿入して両接続端子５４、６１のコンタクト部５４ｂ、６１ｂを接続する。
【０００５】
また、コネクタプラグ５１を固定したプリント基板５９と、コネクタソケット５０を固定したプリント基板６０とが互いに所定位置からずれた状態でプラグ挿入部５３がソケット部５２に挿入される場合、或いはプラグ挿入部５３がソケット部５２に挿入された結合時に、互いに所定位置からずれ状態で嵌合しても、緩衝導体部５４ｃの弾性変形によって図１８に矢印で示す方向に揺動することにより、ずれや外力等を吸収するようにしてある（参考文献１参照）。
【０００６】
【参照文献１】
特開平０８−３１５９３５号公報
【０００７】
また、従来のフローティング機構を有する電気コネクタとしては、下記の構成のものがある。すなわち、この電気コネクタのコネクタソケット７０は、図１９に示すように、アダプタ７１と、接続端子７２を有するコネクタ本体７３と、弾性接触子７４とで構成してある。
【０００８】
そして、アダプタ７１には挿入凹部７５が設けてあり、この挿入凹部７５の両側壁部７５ａには係合爪７６が形成してある。また、挿入凹部７５の底面には弾性接触子７４が装着してある。
【０００９】
挿入凹部７５にはコネクタ本体７３が挿入してあり、このコネクタ本体７３の後面（図１９において下面）に表出した接続端子７２を弾性接触子７４に接触させ、コネクタ本体７３の両側面部７３ａに設けた係合突起７７が係合爪７６に摺動可能に係合していて、コネクタ本体７３が挿入凹部７５から外れないようにしてある。
【００１０】
この場合、挿入凹部７５の両側壁部７５ａの内面とコネクタ本体７３の係合突起７７との間に、コネクタ本体７３を、コネクタソケット７０の短手方向に移動自在とするギャップＧ１か形成される。
【００１１】
そして、アダプタ７１をプリント基板７９に実装してコネクタソケット７０を、このプリント基板７９に取付けた状態では、コネクタ本体７３はコネクタソケット７０の短手方向にフローティングする構造にされており、このフローティング構造によってコネクタプラグ７８を挿入する際のこじりや衝撃を吸収するようにしてある（参考文献２参照）。
【００１２】
【参照文献２】
特開平０７−２８２９２２号公報
【００１３】
【発明が解決しようとする課題】
しかしながら、上記した前者の従来の電気コネクタにあっては、プラグ挿入部５３がソケット部５２に挿入された結合時に振動その他の不要な外力等が加えられた場合には、プラグ挿入部５３は緩衝導体５４ｃの弾性変形によって図１８に矢印で示す方向に揺動することにより、ずれや外力等を吸収するようにしてあるために、接続端子５４において、そのコンタクト部５４ｂがプラグ挿入部５３と共に揺動することになって、この接続端子５４にストレスが加わり、接続端子５４を固定している端子固定部５５ひいてはリード部５４ａに影響を与え、半田が剥離してプリント基板５９のパターンに対して接続不良を生じるし、また、プラグ挿入部５３は図１８に矢印で示す方向のみ揺動するものであり、この方向に直交する、例えばコネクタソケットの長手方向の動きには対処できないという問題点があった。
【００１４】
また、上記した後者の従来の電気コネクタにあっては、挿入凹部７５の両側壁部７５ａの内面とコネクタ本体７３の係合突起７７との間に、コネクタ本体７３をコネクタソケット７０の短手方向に移動自在とするギャップＧ１が形成され、コネクタ本体７３はコネクタソケット７０の短手方向にフローティングする構造にされているが、コネクタ本体７３におけるコネクタソケット７０の長手方向の動きには対処できないという問題点があった。
【００１５】
本発明は、上記の問題点に着目して成されたものであって、その目的とするところは、可動側コネクタ部の、直交する二方向への移動に対処し得る電気コネクタを提供することにある。
【００１６】
【課題を解決するための手段】
上記の目的を達成するために、本発明に係る電気コネクタは、固定側コネクタ部と、この固定側コネクタ部に導通可能に且つ移動可能に設けられ、且つ相手コネクタに挿抜可能に結合される可動側コネクタ部とを備えた電気コネクタであって、可動側コネクタ部の移動方向は、直交する二方向であり、固定側コネクタ部は固定側端子を有していて、この固定側端子は、可動側コネクタ部の挿抜方向への変位に対して撓む接触部を有しており、可動側コネクタ部は可動側端子を有していて、この可動側端子は、直交する二方向に沿う平面部で構成された摺接部を有しており、可動側コネクタ部の移動時に、摺接部が接触部に対して摺接するものである。
【００１７】
かかる構成により、可動側端子が、直交する二方向に沿う平面で構成された摺接部を有しているために、可動側コネクタ部が、直交する二方向のいずれの方向に可動側コネクタ部が移動しても、摺接部が固定側端子に対して摺接して、可動側コネクタ部の、直交する二方向への移動に対処することができる。
【００１８】
すなわち、直交する二方向が、コネクタプラグの短手方向及び長手方向である場合においては、可動側コネクタ部がコネクタプラグの短手方向及び長手方向に移動しても、摺接部が固定側端子に対して摺接して、可動側コネクタ部の、コネクタプラグの短手方向及び長手方向の移動に対処することができる。
【００１９】
しかも、可動側コネクタ部の移動時に、摺接部が固定側端子に対して摺接するために、可動側コネクタ部の移動が固定側端子にストレスを与えるということがなく、例えば、固定側端子のリード部の半田が剥離してプリント基板のパターンに対して接続不良を生じるという事態を防止することができる。
【００２０】
また、本発明に係る電気コネクタは、上記した本発明に係る電気コネクタにおいて、可動側端子は、少なくとも、その配列方向に対して交差する一方向に摺接部を沿わせたものと、逆方向に沿わせたものとの二種類があり、可動側コネクタ部は、可動側ハウジングに二種類の可動側端子を、交互に所定のピッチで配列して摺接部を交互に逆向きに配置した構成であり、固定側コネクタ部は、固定側ハウジングに多数本の固定側端子を、可動側端子の配列ピッチと同ピッチで配列した構成である。
【００２１】
かかる構成により、可動側端子の摺接部は、可動側端子の配列方向（例えば、コネクタプラグの長手方向）に交互に逆向きに、すなわち千鳥状に配置してある。このために、可動側端子の配列ピッチを小さくしても、摺接部の幅を短手方向及び長手方向（直交する二方向）に沿う広い幅をもった平面にすることができ、可動側コネクタ部が、直交する二方向、すなわちコネクタプラグの短手方向及び長手方向に移動しても、摺接部が固定側端子に対して摺接して、可動側コネクタ部の、コネクタプラグの短手方向及び長手方向の移動に対処することができるようになる。したがって、二次元方向のフローティング機構を有する多極構成の電気コネクタを容易に提供することができる。
【００２２】
また、本発明に係る電気コネクタは、上記した本発明に係る電気コネクタにおいて、固定ハウジングに、その可動側コネクタ部対向面側に切込み部を有する端子装着用溝部を形成し、固定側端子は、圧入部と、この圧入部の自由端側に形成された接触部とを有しており、固定側端子は、圧入部を弾性変形させた状態で端子装着用溝部に挿入されて、接触部を切込み部から外方に突出させるようにしたものである。
【００２３】
かかる構成により、固定側端子は、その圧入部を弾性変形させて端子装着用溝部に圧入し、可動側コネクタ部対向面の内壁に当接して予荷重を与えて、接触部を切込み部より可動側コネクタ部対向面外方に突出させることで、接触部のばね性を向上させることができて、接触部の摺接部への接触圧を高めることができる。
【００２４】
或いは、本発明は、固定側コネクタ部と、この固定側コネクタ部に導通可能に且つ移動可能に設けられ、且つ相手コネクタに挿抜可能に結合される可動側コネクタ部とを備えた電気コネクタであって、可動側コネクタ部の移動方向は、直交する二方向であり、可動側コネクタ部は可動側端子を有していて、この可動側端子は、固定側コネクタ部の挿抜方向への変位に対して撓む接触部を有しており、固定側コネクタ部は固定側端子を有していて、この固定側端子は、直交する二方向に沿う平面で構成された摺接部を有しており、可動側コネクタ部の移動時に、摺接部が接触部に対して摺接するものである。
【００２５】
かかる構成により、固定側端子が、直交する二方向に沿う平面で構成された摺接部を有しているために、可動側コネクタ部が、直交する二方向のいずれの方向に可動側コネクタ部が移動しても、摺接部が可動側端子に対して摺接して、可動側コネクタ部の、直交する二方向への移動に対処することができる。
【００２６】
すなわち、直交する二方向が、コネクタプラグの短手方向及び長手方向である場合においては、可動側コネクタ部がコネクタプラグの短手方向及び長手方向に移動しても、摺接部が可動側端子に対して摺接して、可動側コネクタ部の、コネクタプラグの短手方向及び長手方向の移動に対処することができる。
【００２７】
しかも、可動側コネクタ部の移動時に、摺接部が可動側端子に対して摺接するために、可動側コネクタ部の移動が固定側端子にストレスを与えるということがなく、例えば、可動側端子のリード部の半田が剥離してプリント基板のパターンに対して接続不良を生じるという事態を防止することができる。
【００２８】
【発明の実施の形態】
以下、本発明の実施の形態を図面に基づいて説明する。
【００２９】
図１は本発明に係る電気コネクタにおいて、コネクタプラグとコネクタソケットとを分離させた状態の縦断面図、図２の（１）は本発明に係る電気コネクタにおいて、コネクタプラグとコネクタソケットとを結合させた状態の縦断面図、図２の（２）は本発明に係る電気コネクタにおいて、コネクタプラグとコネクタソケットとの結合状態で、コネクタプラグがコネクタソケットに対してコネクタプラグの短手方向に横ずれを生じた場合の縦断面図である。
【００３０】
本発明に係る電気コネクタは、図１に示すように、一方の基板３０に実装されるコネクタソケット１と他方の基板４０に実装されるコネクタプラグ２とで構成してある。
【００３１】
コネクタソケット１は、図１及び図２に示すように合成樹脂製のソケットハウジング３と、一方のソケット側端子７−１と、他方のソケット側端子７−２とで構成してある。
【００３２】
ソケットハウジング３は、その相手コネクタ対向側に、ソケットハウジング３の長手方向に長い長方形状の凸部４とこの凸部４を囲むように形成された嵌合凹部５とを備えている。そして、凸部４の両側面部には、多数の端子装着用溝部６のコンタクト用溝部６ａが、ソケットハウジング３の長手方向に所定のピッチで形成してあり、これらのコンタクト用溝部６ａは、基板対向面部３ａに設けた多数のリード用溝部６ｃに端子圧入孔部６ｂを介して連なっている。
【００３３】
そして、一方及び他方のソケット側端子７−１、７−２は、コンタクト部７ａと圧入部７ｂとリード部７ｃとを有している。但し、リード部７ｃは、表面実装タイプであるが、基板を貫通するいわゆるディップタイプであっても良い。
【００３４】
そして、一方及び他方のソケット側端子７−１、７−２は、それぞれのコンタクト部７ａをコンタクト用溝部６ａに挿入し、圧入部７ｂを端子圧入孔部６ｂに圧入し、リード部７ｃをリード用溝部６ｃに挿入してソケットハウジング３に取付けてある。
【００３５】
コネクタプラグ２は、図１、図５及び図６に示すように、固定側コネクタ部１０と可動側コネクタ部１１とにより構成してある。この固定側コネクタ部１０は、図７乃至図９に示すように、長方形状の固定側ハウジング１２と、この固定側ハウジング１２に装着される多数の固定側端子１９−１、１９−２とで構成してある。
【００３６】
固定側ハウジング１２において、図７及び図８に示すように、その長手方向の両端壁部１２ｄ、１２ｅの中央には楔形状の突起部１４が形成してあり、また、その短手方向の両側面部１２ａ、１２ｂの中央部に楔形状の突起部１５が形成してある。
【００３７】
また、図９に示すように固定側ハウジング１２の短手方向の両側面部１２ａ、１２ｂには、その長手方向に所定のピッチで多数の端子装着用溝部１６が形成してある。端子装着用溝部１６は、固定側ハウジング１２の可動側コネクタ部対向面１２ｃ側に切込み部１７を有しており、この切込み部１７の端部は傾斜面１７ａにしてある。
【００３８】
すなわち、固定側ハウジング１２の長手方向で端子装着用溝部１６の隣り合うものは、その奥行き寸法を、Ｌ１、Ｌ２のように異にしていて、切込み部１７の長さ寸法も異にしている。そして、奥行き寸法Ｌ１の端子装着用溝部１６Ａと奥行き寸法Ｌ２の端子装着用溝部１６Ｂとが交互に繰り返し並べてある（図２、図３参照）。
【００３９】
そして、奥行き寸法Ｌ１の端子装着用溝部１６Ａと奥行き寸法Ｌ２の端子装着用溝部１６Ｂとが固定側ハウジング１２の短手方向に並べて配置してあり、両端子装着用溝部１６Ａ、１６Ｂは隔壁部１８により隔てられている。
【００４０】
そして、奥行き寸法Ｌ１の端子装着用溝部１６Ａには固定側端子１９−１が装着してあり、奥行き寸法Ｌ２の端子装着用溝部１６Ｂには、固定側端子１９−１より小型の固定側端子１９−２が装着してある。
【００４１】
固定側端子１９−１は、側面コ字形状の圧入部１９ｂと、この圧入部１９ｂの基部に形成されたリード部１９ｃと、圧入部１９ｂの自由端側に形成された接触部１９ａとを有しており、この接触部１９ａは圧入部１９ｂの自由端側をリード部１９ｃとは反対側に屈曲して、その寸法を奥行寸法Ｌ１の端子装着用溝部１６Ａに合わせたものである。リード部１９ｃは表面実装タイプであるが、基板を貫通するいわゆるディップタイプであっても良い。
【００４２】
固定側端子１９−２は、固定側端子１９−１と同構成ではあるが、その寸法を奥行き寸法Ｌ２の端子装着用溝部１６Ｂに合わせて小さくしたものである。
【００４３】
そして、固定側端子１９−１は、その圧入部１９ｂを弾性変形させて端子装着用溝部１６Ａに圧入することで、この端子装着用溝部１６Ａに装着してあり、接触部１９ａを切込み部１７より可動側コネクタ部対向面１２ｃ外方に突出している。また、固定側端子１９−２は、その圧入部１９ｂを弾性変形させて端子装着用溝部１６Ｂに圧入することで、この端子装着用溝部１６Ｂに装着してあり、接触部１９ａを切込み部１７より可動側コネクタ部対向面１２ｃ外方に突出している。また、固定側端子１９−１、１９−２のリード部７ｃは端子装着用溝部１６Ａ、１６Ｂより外方に突出している。
【００４４】
このように、固定側端子１９−１、１９−２は、その圧入部１９ｂを弾性変形させて端子装着用溝部１６Ａ、１６Ｂに圧入し、可動側コネクタ部対向面１２ｃの内壁に当接して予荷重を与えて、接触部１９ａを切込み部１７より可動部対向面１２ａ外方に突出させることで、接触部１９ａのばね性を向上させている。
【００４５】
コネクタプラグ２の可動側コネクタ部１１は、図１０乃至図１５に示すように、長方形状の可動側ハウジング２０を有しており、この可動側ハウジング２０は、収容凹部２１と、この収容凹部２１とは反対側の嵌合部２２と、この嵌合部２２に囲まれた嵌合凹部２２Ａとを有している。そして、嵌合部２２の短手方向の両側面部の外縁部には斜面状の案内面部２２ｆが形成してあり、嵌合部２２の長手方向の両端面部の外縁部には斜面状の案内面部２２ｇが形成してある。
【００４６】
また、収容凹部２１の長手方向の両端壁部２１ａ、２１ｂの中央には孔部２３が形成してあり、また、両端壁部２１ａ、２１ｂには、孔部２３を中心にした両側に切込み部２３ａ、２３ｂが形成してある。また、収容凹部２１の短手方向の両側面部２１ｃ、２１ｄの中央部には孔部２４が形成してあり、また、両側面部２１ｃ、２１ｄには、孔部２４を中心にした両側に切込み部２４ａ、２４ｂが形成してある。
【００４７】
また、嵌合部２２の短手方向の両内壁部には、図１４に示すように多数の端子装着用溝部２５（２５Ａ、２５Ｂ）のコンタクト用溝部２５ａが、コネクタプラグ２の長手方向に所定のピッチで形成してある。これらの端子装着用溝部２５  （２５Ａ、２５Ｂ）は、コンタクト用溝部２５ａを、収容凹部２１の底部に設けた溝部２５ｃに孔形状の端子圧入部２５ｂを介して連ねて構成してある。
【００４８】
図１４に示すように、コネクタプラグ２の短手方向で対向する一対の端子装着用溝部２５Ａの溝部２５ｃの向きは同じであるが、コネクタプラグ２の長手方向に隣り合う端子装着用溝部２５Ｂでは、溝部２５ｃの向きは、図１５に示すように互いに反対方向に向けてある。
【００４９】
可動側端子は、少なくとも、一方の可動側端子２６−１と他方の可動側端子２６−２との二種類があり、一方の可動側端子２６−１は、図１４に示すようにコンタクト部２６ａと、圧入部２６ｂと、この圧入部２６ｂに対して略直角に屈曲された摺接部２６ｃ−１とを有しており、この摺接部２６ｃ−１は、可動側端子２６の配列方向に対して交差する一方向（図１４において左方向）に略直角に曲げてあり、この摺接部２６ｃ−１はコネクタプラグ２の短手方向及び長手方向（直交する二方向）に沿う広い幅をもった平面で構成されている。この幅は固定側端子１９−１、１９−２の接触部１９ａに比べて広ければ良い。
【００５０】
また、他方の可動側端子２６−２は、図１５に示すように、コンタクト部２６ａと、圧入部２６ｂと、この圧入部２６ｂに対して略直角に屈曲された摺接部２６ｃ−２とを有しており、摺接部２６ｃ−２は、可動側端子２６の配列方向に対して交差する一方向とは逆方向（図１５において右方向）に略直角に曲げてあり、この摺接部２６ｃ−２はコネクタプラグ２の短手方向及び長手方向（直交する二方向）に沿う広い幅をもった平面で構成されている。この幅は固定側端子１９−１、１９−２の接触部１９ａに比べて広ければ良い。
【００５１】
そして、端子装着用溝部２５Ａには一方の可動側端子２６−１が装着してあり、端子装着用溝部２５Ｂには他方の可動側端子２６−２が装着してある。この場合、コンタクト部２６ａがコンタクト用溝部２５ａに挿入してあり、圧入部２６ｂが端子圧入孔部２５ｂに圧入してあり、摺接部２６ｃ−１が端子装着用溝部２５Ａの溝部２５ｃに挿入してあり、摺接部２６ｃ−２が端子装着用溝部２５Ｂの溝部２５ｃに挿入してある。
【００５２】
したがって、図１２に示すように、可動側端子２６−１、２６−２の摺接部２６ｃ−１、２６ｃ−２は、可動側端子２６−１、２６−２の配列方向（コネクタプラグ２の長手方向）に交互に逆向きに、すなわち千鳥状に配置してある。
【００５３】
そして、上記のように構成された可動側コネクタ部１１は固定側コネクタ部１０に組み込まれてコネクタプラグ２が構成してある。すなわち、可動側コネクタ部１１の収容凹部２１に固定側コネクタ部１０が収容されており、固定側コネクタ部１０の突起部１４が、可動側ハウジング２０の孔部２３に挿入してあり、また、固定側コネクタ部１０の突起部１５が可動側ハウジング２０の孔部２４に挿入してある。
【００５４】
そして、図２の（１）に示すようにコネクタプラグ２の短手方向に並んだ一対の可動側端子２６−２の摺接部２６ｃ−２が固定側端子１９−１、１９−２の接触部１９ａに接触しており、また、図３に示すように一対の可動側端子２６−２に対してコネクタプラグ２の長手方向で隣り合う一対の可動側端子２６−１の摺接部２６ｃ−１が固定側端子１９−１、１９−２の接触部１９ａに接触している。
【００５５】
この場合、図２の（１）に示すように、固定側コネクタ部１０の固定側ハウジング１２の短手方向の両側面部１２ａ、１２ｂと可動側ハウジング２０の収容凹部２１の短手方向の両側面部２１ｃ、２１ｄの内面との間にはそれぞれ隙間αが空けてあり、また、図４の（１）に示すように、固定側ハウジング１２の長手方向の両端壁部１２ｄ、１２ｅと可動側ハウジング２０の収容凹部２１の長手方向の両端壁部２１ａ、２１ｂの内面との間にはそれぞれ隙間α´が空けてある。
【００５６】
したがって、図２の（２）に示すように、可動側コネクタ部１１は固定側コネクタ部１０の短手方向の中心イに対してコネクタプラグ２の短手方向に距離でα移動できるし、また、図４の（２）に示すように、可動側コネクタ部１１は固定側コネクタ部１０の長手方向の中心ロに対してコネクタプラグ２の長手方向に距離でα´移動できる。
【００５７】
また、図５に示すように、突起部１４の高さ寸法Ｈ１は孔部２３の高さ寸法Ｈ２より寸法βだけ小さくしてあり、図６に示すように、突起部１５の高さ寸法ｈ１は孔部２４の高さ寸法ｈ２より寸法βだけ小さくしてあるために、可動側コネクタ部１１はコネクタ挿抜方向に距離でβだけ変位することができる。
【００５８】
また、可動側コネクタ部１１のコネクタ挿抜方向への変位（移動）時、固定側端子１９−１、１９−２の接触部１９ａが距離βの範囲で撓み、可動側コネクタ部１１の変位を吸収するようになる。
【００５９】
コネクタソケット１は、ソケット側端子７のリード部７ｃを一方の基板３０の接続パターン（図示せず）に半田付けして、この一方の基板３０に実装してあり、コネクタプラグ２は、その固定側コネクタ部１０において固定側端子１９−１、１９−２のリード部１９ｃを他方の基板４０の接続パターン（図示せず）に半田付けして、この他方の基板４０に実装してある。
【００６０】
次に、上記のように構成された電気コネクタにおけるコネクタソケット１とコネクタプラグ２の結合を説明する。
【００６１】
一方の基板３０と他方の基板４０を接続する場合、コネクタプラグ２をコネクタソケット１に結合する。この場合、コネクタプラグ２の可動側コネクタ部１１の嵌合部２２をコネクタソケット１の嵌合凹部５に嵌合して、可動側端子２６−１、２６−２のコンタクト部２６ａをソケット側端子７−１、７−２のコンタクト部７ａに接触させる。
【００６２】
また、可動側コネクタ部１１の嵌合部２２のコネクタ挿抜方向への変位時、固定側端子１９−１、１９−２の接触部１９ａが撓み、可動側コネクタ部１１の変位を吸収する。
【００６３】
また、上記したようにコネクタソケット１とコネクタプラグ２とが結合した状態で、一方の基板３０と他方の基板４０とが横ずれを生じた場合には、可動側コネクタ部１１がコネクタプラグ２の長手方向もしくは短手方向に移動して横ずれを吸収する。
【００６４】
すなわち、可動側コネクタ部１１のコネクタプラグ２の短手方向への移動に伴ない、可動側端子２６−１、２６−２の摺接部２６ｃ−１、２６ｃ−２が固定側端子１９−１、１９−２の接触部１９ａに摺接する。
【００６５】
この場合、図２の（１）、（２）に示すように、可動側コネクタ部１１は、固定側コネクタ部１０の短手方向の中心イに対してコネクタプラグ２の短手方向に距離でαの範囲内で移動して横ずれを吸収する。
【００６６】
また、可動側コネクタ部１１のコネクタプラグ２の長手方向への移動に伴ない、可動側端子２６−１、２６−２の摺接部２６ｃ−１、２６ｃ−２が固定側端子１９−１、１９−２の接触部１９ａに摺接する。
【００６７】
この場合、図４の（１）、（２）に示すように、可動側コネクタ部１１は、固定側コネクタ部１０の長手方向の中心ロに対してコネクタプラグ２の長手方向に距離でα´範囲内で移動して横ずれを吸収する。
【００６８】
また、一方の基板３０と他方の基板４０との位置が多少ずれて、コネクタプラグ２の短手方向の中心がコネクタソケット１の短手方向の中心よりずれている場合、コネクタプラグ２をコネクタソケット１に結合しようとすると、図１に示すように、可動側コネクタ部１１の嵌合部２２の長手方向に沿う案内面部２２ｆがコネクタソケット１の嵌合凹部５の内壁部５ａの角部５ｂに衝接して、可動側コネクタ部１１の嵌合部２２には、案内面部２２ｆの傾斜角度に基づく横方向の力が働き、この嵌合部２２をコネクタソケット１の短手方向の中心側に向かわせようとする。
【００６９】
したがって、可動側コネクタ部１１はコネクタプラグ２の短手方向に移動して、可動側コネクタ部１１の嵌合部２２はコネクタソケット１の嵌合凹部５に嵌合し、可動側端子２６−１、２６−２のコンタクト部２６ａをソケット側接触端子７−１、７−２のコンタクト部７ａに接触させる。
【００７０】
また、一方の基板３０と他方の基板４０との位置が多少ずれて、コネクタプラグ２の長手方向の中心がコネクタソケット１の長手方向の中心よりずれている場合、コネクタプラグ２をコネクタソケット１に結合しようとすると、可動側コネクタ部１１の嵌合部２２の短手方向に沿う案内面部２２ｇ（図１１参照）がコネクタソケット１の嵌合凹部５の内壁部５ａの角部５ｃに衝接して（図１参照）、可動側コネクタ部１１の嵌合部２２には、案内面部２２ｇの傾斜角度に基づく横方向の力が働き、この嵌合部２２をコネクタソケット１の長手方向の中心側に向かわせようとする。
【００７１】
したがって、可動側コネクタ部１１はコネクタプラグ２の長手方向に移動して、可動側コネクタ部１１の嵌合部２２はコネクタソケット１の嵌合凹部５に嵌合し、可動側端子２６−１、２６−２のコンタクト部２６ａをソケット側接触端子７−１、７−２のコンタクト部７ａに接触させる。
【００７２】
上記したように、本発明の実施の形態によれば、可動側端子２６−１、２６−２が、コネクタプラグ２の短手方向及び長手方向（直交する二方向）に沿う平面で構成された摺接部２６ｃ−１、２６ｃ−２を有しているために、可動側コネクタ部１１が、コネクタプラグ２の短手方向及び長手方向のいずれかに移動しても、摺接部２６ｃ−１、２６ｃ−２が固定側端子１９−１、１９−２の接触部１９ａに摺接して、可動側コネクタ部１１の、コネクタプラグ２の短手方向及び長手方向への移動に対処することができる。また、固定側端子１９−１、１９−２の接触部１９ａの撓みによりコネクタプラグ２の挿抜方向の移動に対処することができる。
【００７３】
しかも、可動側コネクタ部１１の移動時に、摺接部２６ｃ−１、２６ｃ−２が固定側端子１９−１、１９−２の接触部１９ａに摺接するために、可動側コネクタ部１１の移動が固定側端子１９−１、１９−２にストレスを与えるということがなく、例えば、固定側端子１９−１、１９−２のリード部１９ｃの半田が剥離してプリント基板４０のパターンに対して接続不良を生じるという事態を防止することができる。
【００７４】
また、可動側端子２６−１、２６−２の摺接部２６ｃ−１、２６ｃ−２は、可動側端子２６−１、２６−２の配列方向（コネクタプラグ２の長手方向）に交互に逆向きに、すなわち千鳥状に配置してある。このために、可動側端子２６−１、２６−２の配列ピッチを小さくした場合、可動側コネクタ部１１が、コネクタプラグ２の短手方向及び長手方向に移動しても、摺接部２６ｃ−１、２６ｃ−２が固定側端子１９−１、１９−２の接触部１９ａに比べて幅広なために、接触部１９ａに摺接して、可動側コネクタ部１１の、コネクタプラグ２の短手方向及び長手方向の移動に対処することができるようになる。したがって、短手方向及び長手方向のフローティング機構を有する多極構成の電気コネクタを容易に提供することができる。
【００７５】
また、固定側端子１９−１、１９−２は、その圧入部１９ｂを弾性変形させて端子装着用溝部１６Ａ、１６Ｂに圧入し、可動側コネクタ部対向面１２ｃの内壁に当接して予荷重を与えて接触部１９ａを切込み部１７より可動側コネクタ部対向面１２ｃ外方に突出させることで、接触部１９ａのばね性を向上させることができる。このために、接触部の摺接部への接触圧を高めることができる。
【００７６】
本発明の他の実施の形態を図１６に示す。この電気コネクタは、９０度の角度に配置された一方及び他方の基板３０、４０を接続するためのものであって、一方の基板３０に実装されるコネクタソケット１−１の形状を変えたものである。なお、コネクタプラグ２−１の構成は上記した本発明の実施の形態におけるコネクタプラグ２と同じであるために、同じ符号を付して説明を省略する。
【００７７】
このコネクタソケット１−１のソケットハウジング３において、凸部４と嵌合凹部５とを形成した相手コネクタ対向側に対して９０度の角度を成すようにして基板対向面部３ａが形成してある。そして、一方及び他方のソケット側端子７−１、７−２のコンタクト部７ａ−１、７ｂ−２は凸部４の両側面部に配置してあり、一方及び他方のソケット側端子７−１、７−２のリード部７ｃ−１、７ｃ−２は基板対向面部３ａ側に配置してある。
【００７８】
そして、コネクタプラグ２−１をコネクタソケット１−１に結合する場合の作動、また、コネクタソケット１−１とコネクタプラグ２−１とが結合した状態で、一方の基板３０と他方の基板４０とが横ずれを生じた場合の動作、一方の基板３０と他方の基板４０との位置が多少ずれて、コネクタプラグ２−１の長手方向の中心がコネクタソケット１−１の長手方向の中心よりずれている場合の動作、一方の基板３０と他方の基板４０との位置が多少ずれて、コネクタプラグ２−１の短手方向の中心がコネクタソケット１−１の短手方向の中心よりずれている場合の動作は、上記した本発明の実施の形態における場合と同じである。
【００７９】
また、コネクタプラグ２の固定側ハウジング１２に装着される固定側端子１９−１，１９−２に弾性を持たせ、可動側ハウジング２０に装着される可動側端子２６−１，２６−２は弾性を持っていない例を示したが、本発明の他の実施の形態はコネクタプラグ２の可動側ハウジング２０に装着される端子に弾性を持たせ、固定側ハウジング１２に装着される固定側は弾性を持っていないものとして構成できる。
【００８０】
【発明の効果】
以上説明したように、本発明に係る電気コネクタによれば、可動側端子が、直交する二方向に沿う平面で構成された摺接部を有しているために、可動側コネクタ部が、直交する二方向のいずれの方向に可動側コネクタ部が移動しても、摺接部が固定側端子に対して摺接して、可動側コネクタ部の、直交する二方向への移動に対処することができる。
【００８１】
すなわち、直交する二方向が、コネクタプラグの短手方向及び長手方向である場合においては、可動側コネクタ部がコネクタプラグの短手方向及び長手方向に移動しても、摺接部が固定側端子に対して摺接して、可動側コネクタ部の、コネクタプラグの短手方向及び長手方向の移動に対処することができる。
【００８２】
しかも、可動側コネクタ部の移動時に、摺接部が固定側端子に対して摺接するために、可動側コネクタ部の移動が固定側端子にストレスを与えるということがなく、例えば、固定側端子のリード部の半田が剥離してプリント基板の銅箔パターンに対して接続不良を生じるという事態を防止することができる。
【００８３】
また、本発明に係る電気コネクタによれば、可動側端子の摺接部は、可動側端子の配列方向（例えば、コネクタプラグの長手方向）に交互に逆向きに、すなわち千鳥状に配置してある。このために、可動側端子の配列ピッチを小さくした場合、可動側コネクタ部が、直交する二方向、すなわちコネクタプラグの短手方向及び長手方向に移動しても、摺接部が固定側端子に対して摺接して、可動側コネクタ部の、コネクタプラグの短手方向及び長手方向の移動に対処することができるようになる。
【００８４】
また、本発明に係る電気コネクタによれば、固定側端子は、その圧入部を弾性変形させて端子装着用溝部に圧入し、可動側コネクタ部対向面の内壁に当接して予荷重を与えて、接触部を切込み部より可動側コネクタ部対向面外方に突出させることで、接触部のばね性を向上させることができて、接触部の摺接部への接触圧を高めることができる。
【００８５】
或いは、本発明に係る電気コネクタによれば、固定側端子が、直交する二方向に沿う平面で構成された摺接部を有しているために、可動側コネクタ部が、直交する二方向のいずれの方向に可動側コネクタ部が移動しても、摺接部が可動側端子に対して摺接して、可動側コネクタ部の、直交する二方向への移動に対処することができる。
【００８６】
すなわち、直交する二方向が、コネクタプラグの短手方向及び長手方向である場合においては、可動側コネクタ部がコネクタプラグの短手方向及び長手方向に移動しても、摺接部が可動側端子に対して摺接して、可動側コネクタ部の、コネクタプラグの短手方向及び長手方向の移動に対処することができる。
【００８７】
しかも、可動側コネクタ部の移動時に、摺接部が可動側端子に対して摺接するために、可動側コネクタ部の移動が固定側端子にストレスを与えるということがなく、例えば、可動側端子のリード部の半田が剥離してプリント基板の銅箔パターンに対して接続不良を生じるという事態を防止することができる。
【図面の簡単な説明】
【図１】本発明に係る電気コネクタにおいて、コネクタプラグとコネクタソケットとを分離させた状態の縦断面図である。
【図２】（１）は本発明に係る電気コネクタにおいて、コネクタプラグとコネクタソケットとを結合させた状態の縦断面図である。
（２）は本発明に係る電気コネクタにおいて、コネクタプラグとコネクタソケットとの結合状態で、コネクタプラグがコネクタソケットに対してコネクタプラグの短手方向に横ずれを生じた場合の縦断面図である。
【図３】図２の（１）の断面位置に対してコネクタプラグの長手方向で隣り合う断面位置における、コネクタプラグとコネクタソケットとの結合状態の縦断面図である。
【図４】（１）は本発明に係る電気コネクタにおいて、コネクタプラグとコネクタソケットとを結合させた状態の断面図である。
（２）は本発明に係る電気コネクタにおいて、コネクタプラグとコネクタソケットとの結合状態で、コネクタプラグがコネクタソケットに対してコネクタプラグの長手方向に横ずれを生じた場合の断面図である。
【図５】同電気コネクタにおけるコネクタプラグの正面図である。
【図６】同コネクタプラグの側面図である。
【図７】同コネクタプラグにおける固定側コネクタ部の側面図である。
【図８】固定側コネクタ部の平面図である。
【図９】図７のＡ−Ａ線に沿う断面図である。
【図１０】同コネクタプラグにおける可動側コネクタ部の正面図である。
【図１１】同可動側コネクタ部の側面図である。
【図１２】図１１のＢ方向からの矢視図である。
【図１３】図１１のＣ方向からの矢視図である。
【図１４】図１２のＤ−Ｄ線に沿う断面図である。
【図１５】図１２のＥ−Ｅ線に沿う断面図である。
【図１６】本発明に係る電気コネクタの他の実施の形態における、コネクタプラグとコネクタソケットとの結合状態の縦断面図である。
【図１７】従来の電気コネクタの分解状態の斜視図である。
【図１８】同電気コネクタのコネクタプラグの正面図である。
【図１９】従来の他の電気コネクタの分解状態の縦断面図である。
【符号の説明】
１          コネクタソケット
２          コネクタプラグ
１０        固定側コネクタ部
１１        可動側コネクタ部
１２        固定側ハウジング
１２ｃ      可動側コネクタ部対向面
１４        突起部
１５        突起部
１６Ａ      端子装着用溝部
１６Ｂ      端子装着用溝部
１７        切込み部
１９−１    固定側端子
１９−２    固定側端子
１９ａ      接触部
１９ｂ      圧入部
１９ｃ      リード部
２０        可動側ハウジング
２１        収容凹部
２２        嵌合部
２２Ａ      嵌合凹部
２３        孔部
２４        孔部
２６−１    一方の可動側端子
２６−２    他方の可動側端子
２６ｃ−１  摺接部
２６ｃ−２  摺接部
３０        一方の基板
４０        他方の基板
【図１】
2005005096.tif 000003
【図２】
2005005096.tif 000004
【図３】
2005005096.tif 000005
【図４】
2005005096.tif 000006
【図５】
2005005096.tif 000007
【図６】
2005005096.tif 000008
【図７】
2005005096.tif 000009
【図８】
2005005096.tif 000010
【図９】
2005005096.tif 000011
【図１０】
2005005096.tif 000012
【図１１】
2005005096.tif 000013
【図１２】
2005005096.tif 000014
【図１３】
2005005096.tif 000015
【図１４】
2005005096.tif 000016
【図１５】
2005005096.tif 000017
【図１６】
2005005096.tif 000018
【図１７】
2005005096.tif 000019
【図１８】
2005005096.tif 000020
【図１９】
2005005096.tif 000021